(57)【特許請求の範囲】
【請求項１】
基板と、基板に取り付けられ互いに離間するように延伸する一対の突出片を含み、一対の突出片にコードを掛け渡して巻回せしめてなるコード長さ調整具において、
一対の突出片の先端部が巻回されたコードの内側にきてコードを外せるまで移動できるように、基板、及び、または、突出片が、形成され、
基板の一対の突出片の間に、突出片がコードの巻回時に移動しないように補強する、基板と同じプラスチックで形成された補強手段を有し、
該補強手段は、基板に取り付けられた中空の筒状部材と、中空の筒状部材の上部外側と突出片とを連結する連結部材からなる
ことを特徴とするコード長さ調整具。
【請求項２】
基板が突出片の側に撓むことのできる可撓性部材で形成されている、ことを特徴とする請求項１に記載のコード長さ調整具。
【請求項３】
基板が弾性を有するプラスチックで形成されている、ことを特徴とする請求項２に記載のコード長さ調整具。
【請求項４】
基板の一対の突出片の間に薄肉部が形成されている、ことを特徴とする請求項３に記載のコード長さ調整具。
【請求項５】
薄肉部が一対の突出片のそれぞれに隣接して形成されている、ことを特徴とする請求項４に記載のコード長さ調整具。
【請求項６】
中空の筒状部材は、基板の長手方向に平行な部分でのみ基板に取り付けられている、ことを特徴とする請求項１に記載のコード長さ調整具。
【請求項７】
突出片が、基板と同じプラスチックで形成されている、ことを特徴とする請求項３から６のいずれか一項に記載のコード長さ調整具。
【請求項８】
突出片の端部側が互いに接近できるように撓むことのできる可撓性部材で形成されている、ことを特徴とする請求項１に記載のコード長さ調整具。
【請求項９】
基板、及び、または、突出片が、金属で形成されている、ことを特徴とする請求項２または８に記載のコード長さ調整具。
【発明の詳細な説明】
【技術分野】
【０００１】
本発明は、電子機器に接続するコードを所定の長さに調整するコード長さ調整具に関する。
【背景技術】
【０００２】
一般に、携帯電話や携帯型音響機器などの電子機器に接続するヘッドフォンコードには、多少の余長を有するように長目のものが用いられている。余長部分の長さは、電子機器の使用者の使用態様によって異なるものであるが、余長部分を弛ませたまま使用すると、余長部分が絡まったり、他のものに引っ掛かったりすることがある。携帯電話や携帯型音響機器は、鞄の中などに入れて持ち歩くことが多いことから、特に、細いコードの余長部分は鞄の中で絡みやすく、鞄の中から携帯電話や携帯型音響機器を引っ張り出すときに、ヘッドフォンコードの余長部分が引っ張られて、損傷を生じることがある。一般に、ヘッドフォンコードが細い場合には、コードとヘッドフォンの接続部分が破断したり、コード自体が断線したりする心配もある。ヘッドフォンコードの外被が損傷していない場合でも、ヘッドフォンコード内側の芯線が断線していることがある。このようなことから、特に、ヘッドフォンコードの細線化に伴う余長部分などで生じる損傷を防止するため、ヘッドフォンコードの長さを適当な長さに調整でき、余長部分を生じないようにするコード長さ調整具が用いられている。
【０００３】
コードの余長部分の長さを調整できるものの一例として、特許文献１及び２で開示されているものがある。特許文献１は、電子機器類のコード長さ調整具を開示する。特許文献１には、電子機器のコードの一部を保持するコード保持部８は、湾曲した保持片１の開放側を面ファスナー６の貼り合わせで閉じることにより筒状に形成されていること、また、コード保持部８は、鋭角的に折れ曲がることなく断面視略Ｕ字形に湾曲された保持片１と、貼り合わせられた面ファスナー６の一側縁とにより取り囲まれて中空筒状に形成されていること、そして、コード保持部８は、コードが保持片１に巻回されて環状になったその一部を束ねるようにして、コードを保持すること、が記載されている。
【０００４】
特許文献２は、コード長さ調整具としてのヘッドホンコード収納クリップを開示する。この収納クリップは、両端に備わる切り込み溝と、二つの切り込み溝の間にあるひょうたん型の凹みとを備え、凹みにコードが巻回され、切り込み溝にコードの接続プラグ側と音声出力部側とをそれぞれ押し込んで挟持させることが記載されている。
【先行技術文献】
【特許文献】
【０００５】
【特許文献１】登録実用新案公報３１５２６０９号
【特許文献２】特開２００６−６７５３７号
【発明の概要】
【発明が解決しようとする課題】
【０００６】
特許文献１及び２によって開示されるものは、いずれもコードの余長部分を保持片（特許文献１）やクリップのひょうたん型の凹み（特許文献２）に巻回して保持するものであり、これによりコードの余長部分の長さを調整するものである。しかしながら、一旦長さを短くしたヘッドフォンコードの長さを延ばす場合は、巻いたコードを解さなければならず、巻いたコードを全部解すには手間と時間が掛かるという問題があった。
本発明は、特許文献１及び２によって開示される従来のコード長さ調整具にの欠点を軽減し、改良されたコード長さ調整具を提供することを目的とする。すなわち、コードを短くするために巻物に巻回したコードの余長部分を簡単に解くことができ、コードの長さ調整を容易に行うことができるコード長さ調整具を提供する。
【課題を解決するための手段】
【０００７】
本発明によれば、少なくとも第一の目的は、特許請求の範囲の請求項１の特徴記載部分に規定される特徴によって達成される。
すなわち、本発明によれば、基板と、基板に取り付けられ互いに離間するように延伸する一対の突出片を含み、一対の突出片にコードを掛け渡して巻回せしめてなるコード長さ調整具において、一対の突出片の先端部が巻回されたコードの内側にきてコードを外せるまで移動できるように、基板、及び、または、突出片が、形成されている、ことを特徴とするコード長さ調整具が提供される。
【０００８】
本発明によるコード長さ調整具の追加の技術的事項は従属請求項に規定されている、
すなわち、基板が突出片の側に撓むことのできる可撓性部材で形成されているコード長さ調整具が提供される。
また、基板が弾性を有するプラスチックで形成されているコード長さ調整具が提供される。
また、基板の一対の突出片の間に薄肉部が形成されているコード長さ調整具が提供される。
また、薄肉部が一対の突出片のそれぞれに隣接して形成されているコード長さ調整具が提供される。
また、基板の一対の突出片の間に、突出片をコードの巻回時に移動しないように補強する、基板と同じプラスチックで形成された補強手段を有するコード長さ調整具が提供される。
また、補強手段は、基板に取り付けられた中空の筒状部材と、中空の筒状部材の上部外側と突出片とを連結する連結部材からなるコード長さ調整具が提供される。
また、中空の筒状部材は、基板の長手方向に平行な部分でのみ基板に取り付けられているコード長さ調整具が提供される。
また、突出片が、基板と同じプラスチックで形成されているコード長さ調整具が提供される。
また、突出片の端部側が互いに接近できるように撓むことのできる可撓性部材で形成されているコード長さ調整具が提供される。
また、基板、及び、または、突出片が、金属で形成されているコード長さ調整具が提供される。
【発明の効果】
【０００９】
本発明のコード長さ調整具によれば、一対の突出片に掛け渡してコードを巻回することにより、コードの長さを短く調整することができる。また、一対の突出片にコードが巻回されている状態で、一対の突出片の先端部が巻回されたコードの内側にきてコードを外せるまで移動することで、コードの巻回部分を一対の突出片から外すことができる。これにより、一対の突出片からコードを解す手間を軽減することができ、コードの長さ調整が容易となる。
【図面の簡単な説明】
【００１０】
【図１】本発明に係わるコード長さ調整具を示す斜視図である。
【図２】図１に示すコード長さ調整具を裏側からみた斜視図である。
【図３】コード長さ調整具の底面図である。
【図４】コード長さ調整具の側面図である。
【図５】コード長さ調整具にコードの巻回部分が保持されている状態を示す説明図である。
【図６】コード長さ調整具からコードの巻回部分を外した状態を示す説明図である。
【発明を実施するための形態】
【００１１】
以下、本発明の一実施形態について、図面を参照しながら説明する。図１〜４には、本発明のコード長さ調整具の一実施形態が示され、図５及び６には、コード長さ調整具の作用を説明する説明図が示されている。
【００１２】
本実施形態のコード長さ調整具１は、携帯電話や携帯型音響機器などに使用されるヘッドフォンコードの余長部分の長さを調整することができる付属品（アタッチメント）である。コード長さ調整具の全体又は可撓性を必要とするその部分は、プラスチックや金属などの可撓性部材から形成することができる。本実施形態のコード長さ調整具１は、プラスチックから射出成形にて一体的に形成されている。
【００１３】
図１及び図２に示すように、コード長さ調整具１は、略フラットな基板５と、基板５に取り付けられ互いに離間するように延伸する一対の突出片１１と、を備えている。一対の突出片１１には、ヘッドフォンコード３が掛け渡して巻回される。本実施形態においては、一対の突出片１１の先端部は、基板５を撓ませることにより、巻回されたコードを外せる内側位置まで移動できるように構成されているが、可撓性を有する一対の突出片１１を撓ませることにより、同様の機能を奏するように構成することもできる。また、本実施形態のコード長さ調整具１は、コード巻回時の一対の突出片１１の倒れを防止するために、一対の突出片１１の間に補強手段をさらに備えている。
【００１４】
プラスチックの基板５は、平面状又はやや下向きに反った形態をなし、細長く形成されている（図３参照）。基板５の両端に備わる一対の可撓片６の間には基部７が形成されている。この基部７は、基板５の中央に配置されている。基部７と一対の可撓片６との間には、一対の突出片１１の内側に隣接する位置で、基板５の厚みが最も薄い部分としての溝状の一対の薄肉部８（図４参照）が備わっている。すなわち、基部７と一対の可撓片６とは薄肉部８をそれぞれ介して相互接続している。これにより、一対の可撓片６は薄肉部８に接する基端を支点として撓むことが容易となり、一対の突出片１１の先端部が巻回されたコードを外せる内側位置まで移動できるようになる。基部７と一対の可撓片６との間の接続部としての溝状の薄肉部８は、円弧形状に湾曲して表面が滑らかに形成されると共に、所定の厚みを有しているため、一対の可撓片６が繰り返し撓んでも、薄肉部８において破断などの損傷が生じず強度が維持されるように設計されている。
【００１５】
なお、本実施形態では、基板５が一対の突出片１１の内側に隣接する位置で一対の薄肉部８を備えているが、基部７の中央に一つの薄肉部のみを備えることもできる。また、基板５の可撓性が十分である場合は、薄肉部８を省略することも可能である。薄肉部を備えても、逆に備えなくても、一対の突出片１１の先端部を、基板５の巻回されたコードを外せる内側位置まで移動させることができるように、基部７の長手方向の両端部が一対の可撓片６として機能すればよい。
【００１６】
また、基板５には、一対の可撓片６の自由端側で、回転対称の位置に、ヘッドフォンコード３を挟持する一対の係止溝９が形成されている。この係止溝９を一対設けたのは、ヘッドフォンコード３の２箇所を係止するためである。この係止溝９は、挿入端の溝幅がヘッドフォンコード３の直径より狭い幅に形成され、挿入端に続く奥側の溝幅が広く形成されているため、ヘッドフォンコード３が挿入端の開口から押し込まれて係止されると、ヘッドフォンコード３が係止溝９から不用意に抜け外れないようになっている。係止溝９の位置は、本実施形態の位置に制限されるものではないが、基板５の両端にそれぞれ設けることが好ましい。
【００１７】
一対の突出片１１は、基板５の裏面で薄肉部８に続く基端１２と、この基端１２から基板５に対して斜め外向きに突出する突出端１３とを有している（図４参照）。一対の突出片１１は、補強手段１７により補強されているため、その撓みが規制されるようになっている。基板５の一対の可撓片６が薄肉部８に接する基端を支点として内向きに撓むと、一対の突出片１１はその撓みが規制されつつ、一対の可撓片６と一体的に動作して一対の突出片１１の接近する方向に動くことができる。すなわち、一対の突出片１１の先端部は、巻回されたコードを外せる内側位置まで移動する。本実施形態の一対の突出片１１は、基板５と同じプラスチックで形成されているが、基板５と異なる材料で形成することもできる。例えば、基板５および、または突出片１１を可撓性を有する薄い金属板で形成することもできる。
【００１８】
なお、一対の突出片１１は、一対の突出片１１の間に備わる補強手段１７と相互接続しているため、一対の可撓片６と連動して一対の突出片１１が互いに接近する方向に動くことができても、一対の突出片１１が互いに離れる方向には動けないようになっている。一対の可撓片６の撓み動作に連動して一対の突出片１１が互いに接近する方向に動く際には、補強手段１７の中央に備わる中空の筒状部材１８を弾性変形させながら（凹ませながら）動くことになる。すなわち、筒状部材１８の上部外側１８ａが突出片１１の内面に突設された連結部材１９を介して突出片１１からの内向きの力を受けて凹むことにより、一対の突出片１１が互いに接近する方向に動くことが可能となる。
【００１９】
また、一対の突出片１１の先端側には、ヘッドフォンコード３の巻回部分が一対の突出片１１から不用意に抜け外れることを防止するように、外向きに湾曲した延長部１３ａが形成されている。この延長部１３ａを含む突出片１１の滑らかな外面と基板５の裏面とで囲まれる空間は、ヘッドフォンコード３の巻回部分を保持する保持空間１５として存し、ヘッドフォンコード３の巻回部分はこの保持空間１５からはみ出さないように巻回される。ヘッドフォンコード３の巻回部分の長さは、保持空間１５の大きさやコードの太さに関係し、これにより、ヘッドフォンコード３の調整範囲が決まる。なお、コード長さ調整具１のサイズは特定のサイズに制限されるものではなく、任意のサイズに形成することができる。
【００２０】
一対の突出片１１の間に備わり、一対の突出片１１を補強する補強手段１７は、一対の突出片１１がヘッドフォンコード３の巻回時にそれらが互いに接近する方向に移動することを規制するものであり、可撓性を有する中空の筒状部材１８と、筒状部材１８の対向する上部外側１８ａと一対の突出片１１の内面とに接続する一対の連結部材１９とを有している。筒状部材１８は、基板５の長手方向に平行な部分でのみ基板５の基部７に取り付けられている。一対の連結部材１９は、基板５の基部７に対して略平行に設けられ、突出片１１の内面に接続する側が広幅に形成され、筒状部材１８の上部外側１８ａに接続する側が狭幅に形成されている。筒状部材１８の上部外側１８ａには狭幅の連結部材１９の端部が接続することにより、応力が集中する結果として筒状部材１８の上部外側１８ａが凹みやすくなり、一対の可撓片１１と連動する一対の突出片１１の内向きへの移動が可能になっている。なお、本発明は本実施形態の補強手段の構成に制限するものではなく、基板５に対する一対の突出片１１の撓みを規制する機能を奏するものであれば、他の構成の補強手段とすることも可能である。
【００２１】
図５及び６に基づいて、本実施形態のコード長さ調整具１の作用について説明する。
図５には、ヘッドフォンコード３の余長部分が一対の突出片１１に巻回されている状態が示されている。ヘッドフォンコード３は巻回部分が弛まない程度の所定の張力で一対の突出片１１に巻き付けられ、突出片１１の外側に反った外面と基板５の略平坦な裏面とにより包囲される保持空間１５内で不用意に外れないように保持されている。
図６には、ヘッドフォンコード３の巻回部分が一対の突出片１１から外れた状態が示されている。一対の突出片１１は、基板５に対する撓みが規制されつつ、基板５の薄肉部８に隣接する基端を支点として撓む一対の可撓片６と連動し、補強手段１７の筒状部材１８を凹ませて、一対の突出片１１の間隔が狭くなる方向に移動する。そして、一対の突出片１１の先端部が、巻回されたコードを外せる内側位置まで移動すると、ヘッドフォンコード３の巻回部分が一対の突出片１１から外れる。
【００２２】
以上のように、本発明によれば、基板５と、基板５に取り付けられ互いに離間するように延伸する一対の突出片１１とを備えた構成により、巻回したコード３をワンタッチで簡単に解すことができ、一対の突出片１１からコード３を解す手間を軽減することができ、コード３の長さ調整を容易に行うことができる。
【００２３】
なお、本発明は上記実施形態に限定されるものではなく、本発明の骨子を逸脱しない範囲で種々変形して実施することができる。
【図１】
0005611162.tif 000002
【図２】
0005611162.tif 000003
【図３】
0005611162.tif 000004
【図４】
0005611162.tif 000005
【図５】
0005611162.tif 000006
【図６】
0005611162.tif 000007